(57)【要約】【課題】  外部からの操作によって打楽器から発せられるスネア音を自由に調整し得るようにした打楽器を提供する。【解決手段】  箱状体１内に設けられた回転軸２と、回転軸２に装着された響き線部材３と、箱状体の外側から内側にかけて位置するように設けられた操作部材４と、箱状体内に設けられ操作部材の操作によって移動する可動部材５と、回転軸２と可動部材５のそれぞれに端部が取着された線状部材６とを備え、操作部材を操作して可動部材が移動すると線状部材が回転軸を回動させ、これにより箱状体の内面に響き線部材が接触する面積が変化するようにしたことを特徴とする。【選択図】図２
2020170094.tif 000002
【特許請求の範囲】
【請求項１】
内部が中空状である箱状体の外側面の所定箇所を手で打撃することによって音を発生させて演奏する打楽器において、
前記箱状体内に回転自在に設けられた回転軸と、前記回転軸に基端部が装着され該回転軸の軸心方向と直交方向に所定の長さを有する響き線部材と、前記箱状体の外側から内側に貫通するように設けられた操作部材と、前記箱状体の内側に設けられ前記操作部材の操作によって前記回転軸に近づいたり離れたりする方向に移動する可動部材と、前記回転軸と前記可動部材のそれぞれに端部が取着された線状部材とを備え、
前記操作部材を操作して前記可動部材が移動すると前記線状部材が前記回転軸を回動させ、これにより前記箱状体の内面に前記響き線部材が接触する面積が変化するようにしたことを特徴とする打楽器。
【発明の詳細な説明】
【技術分野】
【０００１】
本発明は、内部中空の箱状体の外面を演奏者が手で叩いて音を発生させる打楽器に関するものである。
【背景技術】
【０００２】
箱状体の内部が中空状になっていて、演奏者がその外側面を打撃して音を発生させる打楽器として、例えば、板材を直方体に形成したカホンと呼ばれるものが広く使用されている。そして、このようなカホンにあっては、外側面の打撃音に加えて、ジャリジャリといった特有の響き音（スネア音）を発生させるために、内部にスナッピーと呼ばれる響き線部材を設けたものが存在している（特許文献１［０００２］［０００８］［０００９］［図８］）。
【先行技術文献】
【特許文献】
【０００３】
【特許文献１】特許第５７６９７６１号公報
【０００４】
ここで、前記したカホンから発せられるスネア音の響きの大小は、演奏者の好みや演奏する音楽のジャンルといった種々の事情から、演奏者が微妙に変更させたいと考える場合がある。もっとも、旧来のカホンでは、その内部に設けられた響き線部材が固定的に取り付けられているため、スネア音による響きを演奏者の好み等に合わせて調節することが困難であった。すなわち、もし、演奏者が響き線部材から発せられるスネア音を調節したいと考えたなら、一旦、箱状体を形成する板材の一部を開放し、響き線部材の位置を微妙に変更させなければならなかった。そして、調節後に再び板材を閉塞して箱状体を形成し、スネア音が適正か否かを確認することになるが、この時に発せられたスネア音が適正でなかった場合には、さらに上述の作業を繰り返す必要があり、きわめて面倒な作業を強いられることになっていた。この点、カホンから生じるスネア音は、カホン内面に接触する響き線部材の面積が小さくなれば、必然的にその響きも小さくなり、逆にカホン内面に接触する響き線部材の面積が大きくなれば、その響きも大きくなる。故に、カホンを構成する板材を一切開放させることなく、外部からカホン内面に対する響き線部材の接触面積を自由に変更することができれば便利である。
【発明の概要】
【発明が解決しようとする課題】
【０００５】
そこで、本発明は、上記課題を解決すべく、内部中空の箱状体からなり、内部に響き線部材を設けた打楽器において、外部からの操作によって、打楽器から発せられるスネア音を自由に調整し得るようにした打楽器を提供することを目的としている。
【課題を解決するための手段】
【０００６】
前記課題を解決するために本発明は、内部が中空状である箱状体の外側面の所定箇所を手で打撃することによって音を発生させて演奏する打楽器において、前記箱状体内に回転自在に設けられた回転軸と、前記回転軸に基端部が装着され該回転軸の軸心方向と直交方向に所定の長さを有する響き線部材と、前記箱状体の外側から内側に貫通するように設けられた操作部材と、前記箱状体の内側に設けられ前記操作部材の操作によって前記回転軸に近づいたり離れたりする方向に移動する可動部材と、前記回転軸と前記可動部材のそれぞれに端部が取着された線状部材とを備え、前記操作部材を操作して前記可動部材が移動すると前記線状部材が前記回転軸を回動させ、これにより前記箱状体の内面に前記響き線部材が接触する面積が変化するようにしたことを特徴としている。
【発明の効果】
【０００７】
本発明によれば、中空状の箱状体内部に響き線部材が設けられた打楽器において、その外部から行う操作のみで、演奏者の好み等に応じたスネア音を発するよう自由に調整することができる。しかも、そうした響き線部材の調整を比較的簡単な構造で実現可能にしている。
【図面の簡単な説明】
【０００８】
【図１】本実施形態の打楽器の斜視図。
【図２】本実施形態の打楽器の打面板を取り外した状態を示す斜視図。
【図３】本実施形態の打楽器の内部を透視した斜視図。
【図４】本実施形態の打楽器の縦断面図。
【図５】本実施形態の打楽器の縦断面図。
【発明を実施するための形態】
【０００９】
以下、本発明に係る打楽器の実施の形態を図面に基づき説明する。なお、本発明は、打楽器一般に広く適用可能だが、本実施形態では、直方体の箱状に形成されたカホンと呼ばれる打楽器に適用した例を説明する。図１はカホンの斜視図、図２はカホンの打面板を取り外した状態を示す斜視図、図３は本実施形態の打楽器の内部を透視した斜視図、図４及び図５は本実施形態の打楽器の縦断面図である。図示されたカホンＣは、内部が中空状である直方体形状の箱状体１と、箱状体１内に回転自在に設けられた回転軸２と、回転軸２に基端部が装着され該回転軸２の軸心方向と直交方向に所定の長さを有する響き線部材３と、箱状体１の外側から内側に貫通するように設けられた操作部材４と、箱状体１の内側に設けられ、操作部材４の操作によって回転軸２に近づいたり離れたりする方向に移動する可動部材５と、回転軸２と可動部材５のそれぞれに端部が連結された線状部材６とによって概略構成されている。
【００１０】
前記箱状体１は、木製であり、カホンＣの演奏者が手で叩く打面板１０と、打面板１０と対向する背面板１１と、打面板１０と背面板１１の両側方のそれぞれに配置される右側面板１２及び左側面板１３と、上面を塞ぐ上面板１４と、底面を塞ぐ底面板１５とによって直方体形状に形成されている。なお、打面板１０は、それ以外の背面板１１、右側面板１２、左側面板１３、上面板１４、及び底面板１５よりも薄厚になっており、これにより打面板１０を振動し易くし、ひいては打音の響きをよくしている。また、背面板１１には、演奏者が打面板１０を叩いて発生させた音を抜いて豊かな低音が発生するように横長楕円形状のサウンドホール１６が開設されている。さらに、箱状体１の底面板１５外面の四隅角部近辺のそれぞれにゴム製の脚部１７，１７，１７，１７が固着されている。また、箱状体１の内面上端の右側と左側、箱状体１の内面下端の右側と左側のそれぞれの部位に横長角棒状の補強用桟１８，１８，１８，１８が横架状に固着されている。そして、箱状体１の底面板１０の左端部の前寄りの位置に上下方向に貫通し、後述するボルトを挿通するための貫通孔１９が穿設されていると共に、箱状体１の下端部左側の補強用桟１８ａの前寄りの位置に貫通孔１９と連続するボルト挿通孔２０が穿設されている。また、箱状体１の右側面板１２と左側面板１３の内面のそれぞれには、それらの奥行き方向前寄りの位置で、且つ上下方向の中央やや上側位置に、内側へ凹む非貫通の円形凹部（図示しない）が形成されている。
【００１１】
前記回転軸２は、木製の丸棒状の部材であり、箱状体１の内部に横架状に装着されている。具体的には、回転軸２の両端部のそれぞれが箱状体１の右側面板１２内面と箱状体１の左側面板１３内面の円形凹部に嵌合されている。これによって、回転軸２は、箱状体１内で回転自在になっている。また、回転軸２の右端よりの位置に後述する線状部材６を止着するための線挿入用孔（図示しない）が穿設されている。
【００１２】
前記響き線部材３は、一般的にスナッピーと呼ばれているもので、波形に形成された金属線３０，３０・・・を複数本横並びにし、その一方端部を保持金具３１に固定して一体化することにより所定長さの帯状に形成されている。そして、この実施形態では、２つの響き線部材３，３が回転軸２の左右両側のそれぞれに固着されている。具体的には、響き線部材３の基端部側、すなわち、響き線部材３の保持金具３１が回転軸２に螺子３２，３２によって螺着されている。なお、回転軸２に装着された響き線部材３の長さは、その他方端部、すなわち、自由端側が上面板１４に接触しない長さに設定されている。
【００１３】
前記操作部材４は、金属製であり、頭部４ａと、比較的長尺で且つ外周に雄螺子が切られた軸部４ｂとからなるボルトにより構成されている。そして、操作部材４の頭部４ａが箱状体１の外側、具体的には、頭部４ａが底面板１５の外側に露出し、軸部４ｂが箱状体１の内部に位置するように装着されている。すなわち、底面板１５の外側に頭部４ａを残して、軸部４ｂを底面板１５の貫通孔１９と補強用桟１８ａのボルト挿通孔２０に挿通し、且つその先端部分が箱状体１の内部に突出するようになっている。
【００１４】
前記可動部材５は、木製で所定の厚みを有する横長矩形状の平板からなり、その中央部には上下方向に貫通し、下方に向かってやや窄まっていく逆向き円錐台形状のナット取付用穴５０が穿設されている。そして、ナット取付用穴５０にナット部材５１が嵌合されている。このナット部材５１は、ナット挿通孔５０の形状に合致する形状、すなわち、逆向き円錐台の円筒状の胴部５１ａと、その上端縁に周設された鍔部５１ｂとによって構成されており、その中央の穴の内周面に雌螺子が切られている。また、可動部材５のナット挿通孔５０のやや前寄りの位置に後述する線状部材６を挿通する細径の線挿通用孔５２が貫通状に穿設されている。そして、前述した箱状体１内に突出する操作部材４の軸部４ｂが可動部材５のナット部材５１に螺合されている。
【００１５】
前記線状部材６は、金属製の紐状の線材であり、一方端が可動部材５に、他方端が回転軸２に取着されている。すなわち、線状部材６の一方端にはボール状の抜止部材６０が固着されており、この抜止部材６０を可動部材５の下面側に位置させた上で線状部材６を線挿通用孔５２に挿通して、線状部材６の一方端が可動部材５から抜けないようにしている。一方、線状部材６の他方端は、回転軸２の前側から後側に巻回して回転軸２の線挿入用孔に挿入させた後、螺子６１によって止着している。この時、線状部材６は、可動部材５と回転軸２との間で、しっかりと張られた状態になっている。
【００１６】
上記のような構成からなるカホンＣを演奏者が実際に演奏する場合、演奏者が箱状体１に跨がるようにして打面板１０に着座し、打面板１０を打撃するのが一般的である。そして、本発明によれば、カホンＣを演奏者が打撃した際に得られるジャリジャリといったスネア音を演奏者の好みに合わせて調節可能になっている。そこで、以下、カホンＣにおいて、スネア音を調節する方法について説明する。
【００１７】
図４は、響き線部材３が箱状体１の打面板１０内面に接触する面積が少ない状態を示している。この時、響き線部材３の基端部、すなわち、響き線部材３の保持金具３１が回転軸２の前方に位置している。そのため、響き線部材３の基端部側は、上方へ略直立した状態にある一方、響き線部材３の先端（自由端）側は、その重みによって前方へ垂れ下がった状態となり、響き線部材３の先端部分のみが打面板１０内面に接触することになる。この状態では、演奏者が打面板１０を比較的強く打撃しないとスネア音を効果的に響かせることはできない。ここで、演奏者がスネア音をもう少し軽い力で響かせたいと思った場合、箱状体１の底面板１５下面の操作部材４を使って調節する。すなわち、操作部材４の頭部４ｂを手で図４に示された矢印方向へ回転させる。これにより、操作部材４の軸部４ｂも必然的に頭部４ａと同一方向に回転する。そして、操作部材４の軸部４ｂは、可動部材５のナット部材５１に螺合させてあるため、操作部材４の軸部４ｂの回転に伴って、可動部材５は下方、すなわち、回転軸２と離れる方向へと移動する。これにより、線状部材６が下方へと引っ張られ、線状部材６が止着されている回転軸２が前方（反時計回り方向）へ回転する。そのため、図５に示されているように、響き線部材３は打面板１０内面に接近し、その接触面積が増大する。この状態では、演奏者が打面板１０を比較的弱い力で打撃しても、響き線部材３によるスネア音を効果的に響かせることができることになる。もっとも、接触面積が大きくなりすぎると、本来的に望むスネア音の他に不要な雑音が混じってしまうことになるので、演奏者は、操作部材４を正逆回転させながら、好みのスネア音となる位置に調節することができる。
【００１８】
なお、前記実施形態では、箱状体が直方体形状である例を示したが、必ずしもこれに限られるわけではなく、内部が中空の箱状体であり且つ外側面の一部を手で打撃することで発音し得るようになっているものであれば、その形状は任意に選択可能である。また、前記実施形態では、回転軸を横向きに配設、すなわち、箱状体の左右の側面板に架け渡すように配設した例を示したが、必ずしもこれに限られるわけではなく、例えば、縦向きに配設、すなわち、箱状体の上下の側面板に架け渡すように配設するなど、種々の態様を採用することが可能である。さらに、響き線部材の例として、波形の金属線により形成されたものを示したが、これに限られるわけではなく、例えば、コイル状の金属線であっても良く、スネア音を発生させ得るものであれば、任意の部材を選択可能である。また、前記実施形態では、響き線部材を回転軸に２つ設けた例を示したが、これに限られるわけではなく、１つ以上設ければ、その数は不問である。また、前記実施形態では、響き線部材が上向きになるように配設しているが、その向きについても種々選択可能である。さらに、前記実施形態では、操作部材がボルトである例を示したが、これに限られるわけではなく、操作部材の操作によって、可動部材が回転軸に近づいたり離れたりする方向に移動するようにできるのであれば、他の部材を選択することも可能である。
【符号の説明】
【００１９】
１      箱状体
２      回転軸
３      響き線部材
４      操作部材
５      可動部材
６      線状部材
【図１】
2020170094.tif 000003
【図２】
2020170094.tif 000004
【図３】
2020170094.tif 000005
【図４】
2020170094.tif 000006
【図５】
2020170094.tif 000007